(57)【要約】【課題】ロッド製品の設計を支援し、専門的な知識が十分でない者であっても簡単にロッド製品の設計を行うことができ、設計したロッド製品の性能等を、各種のシミュレーションの実行により、メーカーへの発注前に確認することができるロッド製品設計支援システムを提供する。【解決手段】入力された各種の設計条件に基づいて、ロッド製品（釣り竿やゴルフクラブなど）を設計する設計プログラムＡと、ロッド製品のシミュレーションイメージ等を画面上に表示する表示プログラムＢと、設計プログラムＡにて設計されたデータを、発注者の好みに合わせて修正できる修正プログラムＤと、設計データを基礎として、製作用データを記憶媒体等へ出力するデータ出力プログラムＣとを有していることを特徴とする。【選択図】  図１
2004147509.tif 000002
【特許請求の範囲】
【請求項１】
入力された各種の設計条件に基づいて、ロッド製品を設計する設計プログラムと、
前記設計プログラムを実行することによって設計されたロッド製品のイメージ、及び／又は、シミュレーションイメージをコンピュータの画面上に表示する表示プログラムと、
前記設計プログラムの実行によって得られた設計データを基礎として製作用データを、記憶媒体へ出力し、若しくは、コンピュータネットワークを介して他のコンピュータへ出力するデータ出力プログラムとを有していることを特徴とする、ロッド製品設計支援システム。
【請求項２】
前記設計プログラムは、入力された設計条件によって設計可能か、問題があるかを判定するステップが実行され、更に、問題があると判定された場合において、システム側において設計条件を多少変更することによって設計が可能であるかどうかが判定されるように構成されていることを特徴とする、請求項１に記載のロッド製品設計支援システム。
【請求項３】
前記設計プログラムの実行によって得られた設計データの内容を修正するための修正プログラムを有し、
前記表示プログラムは、前記修正プログラムによる修正前のロッド製品のイメージ及び／又はシミュレーションイメージと、修正後のロッド製品のイメージ及び／又はシミュレーションイメージとを、画面上に同時に表示することができるように構成されていることを特徴とする、請求項１に記載のロッド製品設計支援システム。
【請求項４】
前記データ出力プログラムによって出力された製作用データは、プロテクト処理がなされていることを特徴とする、請求項１から請求項３のいずれかに記載のロッド製品設計支援システム。
【請求項５】
製作用データに、仕上げデザイン、及び／又は、パーツを指定、選択するための情報を含めることができるように構成されていることを特徴とする、請求項１から請求項４のいずれかに記載のロッド製品設計支援システム。
【請求項６】
請求項１から５のいずれかに記載のロッド製品設計支援システムが発注者に配布され、
当該発注者のコンピュータにおいて前記ロッド製品設計支援システムが起動され、
当該システムの設計プログラム、及び、表示プログラムが実行されることによって、又は、当該システムの設計プログラム、表示プログラム、及び、修正プログラムが実行されることによって、設計されたロッド製品のイメージ、及び／又は、シミュレーションイメージが発注者のコンピュータの画面上に表示された後、データ出力プログラムが実行されることによって、ロッド製品の製作に必要な製作用データが、発注者のコンピュータから、受注者のコンピュータへと出力されることを特徴とするロッド製品の製作受注方法。
【請求項７】
発注者のコンピュータからコンピュータネットワークを介して送信された各種の設計条件に基づいて、ロッド製品を設計する設計プログラムと、
前記設計プログラムを実行することによって設計されたロッド製品のイメージ、及び／又は、シミュレーションイメージを、コンピュータネットワークを介して発注者のコンピュータへ送信するとともに、発注者のコンピュータの画面上に表示させる表示プログラムと、
前記設計プログラムの実行によって得られた設計データを基礎として製作用データを出力するデータ出力プログラムとを有していることを特徴とする、ロッド製品設計支援システム。
【請求項８】
コンピュータネットワークに接続可能な受注者のコンピュータに、請求項７に記載のロッド製品設計支援システムが導入され、
コンピュータネットワークに接続可能な発注者のコンピュータから、各種の設計条件が送信されると、その送信された設計条件に基づき、前記受注者のコンピュータにおいて設計プログラムが実行され、
前記設計プログラムを実行することによって設計されたロッド製品のイメージ、及び／又は、シミュレーションイメージが、コンピュータネットワークを介して発注者のコンピュータへ送信され、
発注者のコンピュータからコンピュータネットワークを介して発注情報が送信されると、前記データ出力プログラムが実行され、製作用データが、受注者のコンピュータにおいて出力されることを特徴とするロッド製品の製作受注方法。
【発明の詳細な説明】
【０００１】
【発明の属する技術分野】
本発明は、釣り竿やゴルフクラブなどのロッド製品の設計を支援するコンピュータプログラムであって、特に、顧客等のコンピュータに導入され、そのコンピュータにおいて各種のシミュレーションを実行することができ、設計されたロッド製品の性能等を発注前に検証することができる設計支援システム、及び、そのプログラムを利用して、ロッド製品を実際に製作するメーカーが、オリジナルのロッド製品の製作を顧客等から受注する方法に関する。
【０００２】
【従来の技術】
釣り竿やゴルフクラブなどのロッド製品が購入される際には、弾性力（撓り具合）、強度、重量等の要素が重視されるが、これらの要素は、使う者によって好みの幅が極めて広いため、ロッド製品を製造する各メーカーでは、そのような多様な需要に応えるべく、実に様々なバリエーションにて製品を市場に供給している。
【０００３】
但し、製品のバリエーションを豊富に用意したとしても、必ずしも顧客の需要に完全に対応することはできないので、最近では、顧客の個別注文に応じてオリジナルの製品を製作するというサービス（オーダーメイドサービス）が、一部の釣り竿メーカーやゴルフクラブメーカーなどによって提供されている。
【０００４】
【発明が解決しようとする課題】
しかしながら、従来のオーダーメイドサービスには、様々な問題がある。例えば、小売店の店頭に並べられている既製品であれば、購入する前に、パッケージ等に印刷されているカタログデータ（寸法、重量、耐荷重等の性能を表す情報）を参考にしつつ、実際に手に取って撓り具合等を確認したうえで、また、他の製品と比較したうえで、購入すべき製品を選択することができるが、オーダーメイドの場合、発注した製品が出来上がってこない限り、具体的な性能について確認することができないため、顧客において予想外の製品が製作され、納品されるといった事態も生じかねない。
【０００５】
また、顧客がメーカーに対して個別注文を行う際には、各種の設計条件を数値によって指定する必要があるが、設計を行う際に必要となる専門的な知識が顧客において十分でない場合には、適切な数値を指定することが困難である場合が多い。
【０００６】
本発明は、上記のような従来技術の問題を解決すべくなされたものであって、通常は、専門的な知識が要求されるロッド製品の設計を支援し、設計したロッド製品の性能等を、各種のシミュレーションの実行により、発注前に確認することができるというロッド製品設計支援システム、及び、このシステムを用いて行うロッド製品の製作受注方法を提供することを目的とする。
【０００７】
【課題を解決するための手段】
本発明のうち、請求項１に記載のロッド製品設計支援システムは、コンピュータに対する指令であって、一の結果を得ることができるように組み合わされたプログラムであり、コンピュータ読み取り可能な記憶媒体（例えば、コンパクトディスク）に記憶された状態で、この発明の実施者であるロッド製品（釣り竿やゴルフクラブなど）のメーカー（製作者）より、ロッド製品の発注者（顧客、小売業者、卸業者、他メーカー）に配布され、或いは、コンピュータネットワークを介して、メーカーより発注者に配布され、発注者の使用するコンピュータに導入されて使用されるものであって、入力された各種の設計条件に基づいて、ロッド製品を設計する設計プログラムＡと、この設計プログラムＡを実行することによって設計されたロッド製品のイメージ、及び、シミュレーションイメージをコンピュータの画面上に表示する表示プログラムＢと、設計プログラムＡの実行によって得られた設計データを基礎として、製作用データを、記憶媒体へ出力し、若しくは、コンピュータネットワークを介して他のコンピュータへ出力するデータ出力プログラムＣとを有していることを特徴としている。
【０００８】
尚、設計プログラムＡは、入力された設計条件によって設計可能か、問題があるかを判定するステップが実行され、更に、問題があると判定された場合において、システム側において設計条件を多少変更することによって設計が可能であるかどうかが判定されるように構成されていることが好ましい。
【０００９】
また、設計プログラムＡの実行によって得られた設計データの内容を修正するための修正プログラムＤを有していることが好ましく、この場合、表示プログラムＢが、修正プログラムＤによる修正前のロッド製品のイメージ及び／又はシミュレーションイメージと、修正後のロッド製品のイメージ及び／又はシミュレーションイメージとを、画面上に同時に表示することができるように構成されていることが好ましい。
【００１０】
更に、データ出力プログラムＣによって出力された製作用データが、プロテクト処理（例えば、このシステム独自の形式など、特殊な形式で出力され、或いは、適正なパスワードが入力されない限り、閲覧、印刷等が許可されないように構成され、或いは、データが暗号化処理されること等）がなされていることが好ましい。
【００１１】
また、製作用データには、仕上げデザイン（色、模様など）や、パーツ（例えば、ロッド製品が「釣り竿」である場合には、リールの取付ベース、グリップ材、色、ガイドの大きさ・数・取り付け位置など）を指定、選択するための情報を含めることができるように構成することが好ましい。
【００１２】
また、本発明のうち、請求項６に記載のロッド製品の製作受注方法は、上記のようなロッド製品設計支援システムが、記憶媒体若しくはコンピュータネットワークを介して発注者（顧客等）に配布され、その発注者のコンピュータにおいてロッド製品設計支援システムが起動され、そのシステムの設計プログラムＡ、及び、表示プログラムＢが実行されることによって、又は、そのシステムの設計プログラムＡ、表示プログラムＢ、及び、修正プログラムＤが実行されることによって、設計されたロッド製品のイメージ、及び／又は、シミュレーションイメージが発注者のコンピュータの画面上に表示された後、データ出力プログラムＣが実行されることによって、ロッド製品の製作に必要な製作用データが、発注者のコンピュータから、受注者（ロッド製品の製作者）のコンピュータへと出力されることを特徴としている。
【００１３】
また、本発明のうち、請求項７に記載のロッド製品設計支援システムは、ロッド製品のメーカーのコンピュータに導入されて使用されるものであって、コンピュータネットワークを介して発注者のコンピュータから送信された各種の設計条件に基づいて、ロッド製品を設計する設計プログラムと、設計プログラムを実行することによって設計されたロッド製品のイメージ、及び／又は、シミュレーションイメージを、コンピュータネットワークを介して発注者のコンピュータへ送信するとともに、発注者のコンピュータの画面上に表示させる表示プログラムと、前記設計プログラムの実行によって得られた設計データを基礎として製作用データを出力するデータ出力プログラムとを有していることを特徴としている。
【００１４】
更に、本発明のうち、請求項８に記載のロッド製品の製作受注方法は、コンピュータネットワークに接続可能な受注者のコンピュータに、請求項７に記載のロッド製品設計支援システムが導入され、コンピュータネットワークに接続可能な発注者のコンピュータから、各種の設計条件が送信されると、その送信された設計条件に基づき、前記受注者のコンピュータにおいて設計プログラムが実行され、設計プログラムを実行することによって設計されたロッド製品のイメージ、及び／又は、シミュレーションイメージが、コンピュータネットワークを介して発注者のコンピュータへ送信され、発注者のコンピュータからコンピュータネットワークを介して発注情報が送信されると、前記データ出力プログラムが実行され、製作用データが、受注者のコンピュータにおいて出力されることを特徴としている。
【００１５】
【発明の実施の形態】
以下、本発明の好適な実施形態について説明する。まず、本発明の第１の実施形態として、釣り竿の設計支援システムについて説明する。尚、本実施形態における設計支援システムは、コンピュータ読み取り可能な記憶媒体（例えば、コンパクトディスク）にて、或いは、コンピュータネットワークを介して提供されるソフトウェア（プログラム）であり、この発明の実施者である釣り竿のメーカー（製作者）より、釣り竿の発注者に配布され、発注者の使用するコンピュータに導入されて使用されるものである。
【００１６】
本実施形態における設計支援システムには、設計プログラムＡ（図１参照）と、表示プログラムＢ（図２参照）と、データ出力プログラムＣと、修正プログラムＤが含まれている。これらのうち、設計プログラムＡは、発注者によって入力された各種の設計条件に基づいて釣り竿を設計するプログラムであり、表示プログラムＢは、設計プログラムＡによって設計された釣り竿に関するデータ（設計データ）を基礎として、コンピュータの画面上に、設計された釣り竿のイメージ及びシミュレーションイメージを表示するプログラムである。
【００１７】
また、データ出力プログラムＣは、設計プログラムＡによって設計された釣り竿に関する設計データ等を基礎として得られた製作用データ等を、記憶媒体、若しくは、コンピュータネットワークを介して製造者のコンピュータへと出力するプログラムであり、修正プログラムＤは、設計プログラムＡの実行によって得られた設計データの内容を適宜修正するプログラムである。以下、これら４つのプログラムについて、それぞれ詳細に説明する。
【００１８】
（設計プログラムＡ）
本実施形態に係る設計支援システムが起動されると、まず、設計プログラムＡが実行される。設計プログラムＡにおいては、図１に示されているように、発注者から設計条件の入力を受けるステップＡ１、設計可能かどうかを判定するステップＡ２、そして、入力された設計条件に基づいて実際に設計を行うステップＡ３が、順次実行される。
【００１９】
ステップＡ１においては、まず、発注者に対し設計条件の入力を促す情報が、この設計支援システムが導入されたコンピュータのディスプレイ上に表示される。尚、ここで発注者が入力可能な設計条件は、「初期負荷（竿先部への負荷）」、「最終負荷（竿元部への負荷）」、「全長」、「グリップ位置」、「主材質」、「素材形状」、「調子（アクション）」、及び、「釣り方」である。
【００２０】
これらのうち、「初期負荷」及び「最終負荷」という条件項目の入力は、数値（ｋｇ；ポンド）によって行うようになっているが、発注者において希望する数値が分からない場合には、隣接して表示される拡張ボックス内に示された多数の対象魚名の中から、対象魚を選択することにより、その対象魚に応じた適切な数値が、「初期負荷」及び「最終負荷」の項目に、自動的に入力されるようになっている。
【００２１】
また、「全長」及び「グリップ位置」という条件項目の入力も、数値（ｍ；ｃｍ；ｍｍ；フィート；インチ等）によって行う。尚、「グリップ位置」については、「竿尻からグリップ位置までの寸法」を入力する。
【００２２】
「主材質・素材形状」、「調子」、及び、「釣り方」という条件項目の入力は、項目ごとに多数用意された選択肢の中から、発注者において希望するものをそれぞれ選択して行う。例えば、「主材質」については、「カーボン１００％」、「カーボン９５％／グラスファイバー５％」、「カーボン９０％／グラスファイバー１０％」といった選択肢が用意されており、「素材形状」については、「無垢」、「無垢２本継ぎ」、「中空」、「中空４本継ぎ」といった選択肢が用意されており、「調子」については、「先調子」、「胴調子」という選択肢のほか、「８：２」、「７：３」、「６：４」、「５：５」といった選択肢が用意されている。また、「釣り方」については、「磯釣り」、「投げ釣り」、「○○釣り」といった選択肢が用意されている。
【００２３】
必要な設計条件が入力された後、２種類用意されたモード選択ボタン（「調子優先モード選択ボタン」及び「強度優先モードボタン」）のうち、いずれかがクリックされると、その選択されたモードに従って、設計が開始される。尚、このとき、必ずしも上記８つの設計条件のすべてが入力されている必要はなく、各モードに合った最低限度の設計条件が入力されていればよい。
【００２４】
「調子優先モード」が選択された場合、竿の強度（「初期負荷」及び「最終負荷」）よりも、「調子」についての入力値を優先して設計が行われ、「強度優先モード」が選択された場合、「調子」よりも、竿の強度についての入力値を優先して設計が行われることになる。
【００２５】
次に、ステップＡ２に進み、入力された設計条件に基づいて「設計可能」か、「問題がある」かの判定が行われる。例えば、「全長」という設計条件について「２０ｍ」或いは「０．２ｍ」という数値が入力されている場合等のように、入力された設計条件の一つが常識的な範囲（予め最大値、最小値が設定されている。）を逸脱してしまっているような場合や、各設計条件はそれぞれ許容範囲内であったとしても、組み合わせに無理がある場合（「釣り方」として、ある程度の耐荷重を要する釣り方が選択されているにも拘わらず、「最終負荷」の項目に、非常に小さい数値が入力されているような場合など）には、事実上設計することはできないので、「問題がある」と判定される。
【００２６】
「問題がある」と判定された場合、更に、その問題が「軽微であり、システム側において設計条件を多少変更することによって設計が可能であるかどうか」が判定される。その結果、「可能でない」と判定された場合には、発注者に対して設計条件の変更（再入力）を求めるメッセージが画面上に表示されるとともに、ステップＡ１に戻り、「可能である」と判定された場合には、設計条件を多少変更する旨のメッセージが画面上に表示され、ステップＡ３に進むようになっている。
【００２７】
一方、特に問題がない場合には「設計可能」と判定され、そのままステップＡ３に進むことになる。
【００２８】
ステップＡ３においては、発注者によって入力された設計条件に基づき、選択されたモードに従って、実際に設計が行われる。設計は、主として弾性率及び強度を計算することによって行われる。弾性率及び強度の計算は、竿尻から竿先にかけて所定間隔（例えば、１０ｍｍ間隔）をおいて設定された多数の仮想ポイント毎に行われる。
【００２９】
（表示プログラムＢ）
設計が完了すると、表示プログラムＢが実行される。表示プログラムＢは、設計プログラムＡの実行によって得られた設計データ（仮想ポイント毎の弾性率及び強度のデータ、全長など）に基づいて表示用データを算出し、その表示用データを用いて、発注者のコンピュータの画面上に、設計された釣り竿のシミュレーションイメージを表示する。
【００３０】
より具体的には、画面上に、ＸＹ座標と４つの曲線グラフが表示される（図３参照）。これら４つの曲線グラフはいずれも、設計された釣り竿の撓り具合（様々な条件の下での撓り具合）を表現したものであり、１つめの曲線グラフ（第１イメージＲ１）は、基本状態（初期負荷がかかっている状態）をシミュレートし、他の曲線グラフ（第２イメージＲ２、第３イメージＲ３、及び、第４イメージＲ４）は、それぞれ負荷が変動した場合の竿の撓り具合をシミュレートしている。
【００３１】
画面に表示されているこれら４つのイメージは、表示条件を変更することによって変化させることができ、設計された釣り竿の調子、撓り具合、耐荷重等に関し、多彩なシミュレーションを実行することができるようになっている。
【００３２】
例えば、竿に作用する負荷を１０ｇ単位で増減させることができるほか、負荷の作用する方向（竿先の鉛直下方向、前方１０°の方向、手前側１５°の方向など）や、竿の角度（竿尻とグリップ位置を結ぶ仮想直線の仰角或いは俯角）を指定できるようになっている。
【００３３】
そして、発注者によって表示条件が変更された場合、速やかに表示用データが再計算され、その新たに算出された表示用データに基づいて、新たなイメージが順次画面上に表示されることになる。
【００３４】
また、設計された釣り竿を用いて特定の動作（誘い釣りのアクション、いわゆる「シャクリ」と呼ばれるアクション、「ジャーク」と呼ばれるアクション）を行った場合のシミュレーションイメージを、アニメーション表示させることもできる。
【００３５】
尚、負荷の値について表示条件を変更する際、入力された負荷の値に対して、竿の強度が不足している場合（実際に、その値の負荷をかけると、ある箇所で竿が折れてしまうような場合）、画面上には、強度が不足している旨のメッセージが表示されるとともに、その「折れるであろうと予測される位置」に、「×印」が表示されるようになっている。
【００３６】
このように、本実施形態に係る設計支援システムは、設計された竿の性能（調子、耐荷重、安全率等）を、この表示プログラムＢによって様々な角度からシミュレーションできるようになっているため、実際の製品をメーカーに発注する前に、その性能を予め確認、予測することができる。
【００３７】
そして、発注者において、表示されている竿の性能等について満足した場合には、データ出力プログラムＣによって、その設計された竿をメーカーに発注することができる。一方、竿の性能等について満足できない場合には、後述するプログラムＤによって、適宜修正（設計条件の変更）を行うことができる。
【００３８】
尚、修正前後の表示用データは、破棄することもできるが、任意の記憶媒体（例えば、コンピュータのハードディスク等）に保存することもできる。修正前の表示用データを保存した場合、いつでも呼び出して、修正前の釣り竿のイメージを画面上に表示することができるようになっている。また、修正は何度でも行うことができ、その都度、表示用データを保存するようにすれば、多数の表示用データを蓄積することができる。
【００３９】
更に、修正後の釣り竿のイメージと、修正前の釣り竿のイメージを、画面上において同時に表示させることもできるので、それらを比較対照しながら、修正の前後で生じる性能等の変化を検証することができる。
【００４０】
また、このシステムには、既製品についての設計データも多数収録されており、それら既製品のイメージを、設計した釣り竿のイメージと同時に表示させることができる。そして、その既製品のイメージについても、角度、負荷、及び、負荷の作用する方向等の表示条件を変更することによって、様々なシミュレーションを行うことができるようになっており、設計した釣り竿の性能等を、既製品と比較対照しながら検証することができる。
【００４１】
（データ出力プログラムＣ）
データ出力プログラムＣは、設計プログラムＡの実行によって得られた設計データ（設計プログラムＡの実行後、修正プログラムＤが実行された場合には、設計データと、修正プログラムＤによって得られた修正データ）に基づいて、製作用データを出力するプログラムである。尚、製作用データは、メーカーが竿を製作するうえで必要となる複数の設計情報（材質、形状、寸法等）によって構成される。
【００４２】
本実施形態においては、製作用データの出力方法として、３つの方法が用意されている。第１の出力方法は、コンピュータ本体に内蔵されている記憶媒体（ハードディスク、ハードＲＡＭ等）に、製作用データを電子ファイル形式で出力し、記憶させるというものであり、第２の出力方法は、コンピュータ本体から取り出すことができる記憶媒体（例えば、フレキシブルディスク、コンパクトディスク、光磁気ディスク等）に、製作用データを電子ファイル形式で出力し、記憶させるというものである。
【００４３】
第３の出力方法は、製作用データとともに、発注者を特定するための情報を収録した電子ファイルを、発注者のコンピュータから、インターネット等のコンピュータネットワークを介して、竿を実際に製作するメーカーへと、ダイレクトに送信（出力）するというものである。
【００４４】
尚、第１の出力方法による場合、発注者は、竿を実際に製作するメーカーに宛てたＥメールを作成し、製作用データが収録された電子ファイルをそのＥメールに添付し、送信を実行することにより、このシステムを使用して発注者が設計した竿の製作をメーカーに発注することができる。
【００４５】
また、第２の出力方法による場合、発注者は、製作用データの電子ファイルが記憶されているＦＤ、ＣＤ等を、郵便等によってメーカーに送付することにより、発注を行うことができる。
【００４６】
一方、第３の出力方法による場合、データ出力プログラムＣを実行するだけで、コンピュータネットワークを介して自動的に発注が行われる。より具体的には、発注者のコンピュータがネットワークを介してメーカーのコンピュータに自動的に接続され、製作用データが収録された電子ファイル等が自動的に送信される。
【００４７】
尚、いずれの出力方法による場合も、出力電子ファイルは、プロテクト処理がなされている（適正なパスワードが入力されない限り、閲覧、印刷等が許可されないように構成され、或いは、独自の形式又は特殊な形式で作成され、或いは、暗号化されている）ため、発注者や他のメーカーにおいては、製作用データの内容を知得できないようになっている。
【００４８】
また、製作用データには、仕上げデザイン（色、模様など）や、パーツ（リールの取付ベース、グリップ材、色、ガイドの大きさ・数・取り付け位置など）を指定、選択するための情報を含めることができるように構成することもできる。
【００４９】
（修正プログラムＤ）
前述の通り、表示プログラムＢによって画面上に表示されている竿の性能等について、発注者自身が満足した場合には、データ出力プログラムＣを実行することによって、その設計された竿をメーカーに発注することができるが、表示されている竿の性能等について満足できない場合には、この修正プログラムＤによって、設計データの内容を適宜修正することができる。
【００５０】
このプログラムによって修正が行われると、その修正内容は、逐次シミュレーションイメージ（図３に示した第１〜４イメージＲ１〜Ｒ４）に反映されるようになっているため、設計された竿の撓り具合等を視覚的に確認しながら修正を行うことができる。
【００５１】
このプログラムによって修正可能な項目は、竿の全長、強さ（撓り具合）である。具体的には、まず、画面上に表示されている二つのスライドバー（修正項目の内容を加減調整するための手段）のうち、第１スライドバーをドラッグし、或いは、第１スライドバーの端部に用意された矢印ボタンをクリックして修正位置を指定し、次に第２スライドバーを、ドラッグ或いは矢印ボタンのクリックにより左右方向へ適宜移動させ、更に実行ボタンをクリックすることによって、竿の全長や、撓り具合などを加減できるようになっている。
【００５２】
尚、実行ボタンは、数種類用意されており、部分的に調整する場合や、全体的に調整する場合、更に、竿の全長を変える場合などに対応している。このように、本実施形態における修正プログラムは、複数の調整手段を組み合わせることにより、修正を行う際に、発注者の意図をより忠実に反映させることができる。
【００５３】
また、竿の太さや強度の修正を行う場合、竿全体を一括して修正することができるだけでなく、仮想ポイント（竿尻から竿先にかけて所定間隔をおいて設定された多数のポイントであって、設計プログラムＡにおいて弾性率や強度が計算されるポイント）毎に、修正を行うことができるようになっている。
【００５４】
尚、本実施形態においては、釣り竿の設計を支援するシステムについて説明したが、設計対象となるロッド製品は、釣り竿に限定されるものではなく、ゴルフクラブや、他のロッド製品を対象とする設計支援システムとして構成することができる。
【００５５】
また、本実施形態における設計支援システムは、前述の通り、コンピュータ読み取り可能な記憶媒体（例えば、コンパクトディスク）にて、或いは、コンピュータネットワークを介して提供されるソフトウェア（プログラム）であり、この発明の実施者である釣り竿のメーカーより、釣り竿の発注者に配布され、発注者の使用するコンピュータに導入されて使用されるものであるが、受注者であるメーカーのコンピュータに導入されるシステムとして構成することもできる。
【００５６】
この場合、設計プログラムＡは、コンピュータネットワークを介して接続された発注者のコンピュータに対し、設計条件の入力及び送信を促し、これに応じて発注者より送信された設計条件に基づいて設計を行い、表示プログラムＢは、設計プログラムＡの実行により得られた設計データをもとに製品のイメージ、及び／又は、シミュレーションイメージを作成し、それらを発注者のコンピュータへ送信して表示させ、発注者から表示条件の変更を受け付けて各種のシミュレーションを行えるように構成し、データ出力プログラムＣは、設計プログラムＡの実行によって得られた設計データを基礎として、製作用データをメーカーのコンピュータにおいて出力するように構成される。
【００５７】
また、設計プログラムＡは、入力された設計条件によって設計可能か、問題があるかを判定するステップが実行され、更に、問題があると判定された場合において、システム側において設計条件を多少変更することによって設計が可能であるかどうかが判定されるように構成することもでき、更に、設計プログラムＡの実行によって得られた設計データの内容を修正するための修正プログラムＤにより、オンラインで設計内容を適宜修正できるように構成することもできる。
【００５８】
【発明の効果】
以上に説明したように、本発明に係るロッド製品設計支援システムは、通常は、専門的な知識が要求されるロッド製品の設計を好適に支援し、専門的な知識が十分でない者であっても、簡単に設計を行うことができ、また、設計したロッド製品の性能等を、各種のシミュレーションの実行により、メーカーへ発注する前に、様々な角度から検証、比較対照することができる。
【００５９】
また、本発明に係るロッド製品の製作受注方法によれば、受注手続を円滑に、かつ、正確に実行することができ、発注者の希望通りのロッド製品を製作し、納品することができる。
【図面の簡単な説明】
【図１】本発明の第１の実施形態に係るロッド製品設計支援システムの設計プログラムＡのフローチャート。
【図２】本発明の第１の実施形態に係るロッド製品設計支援システムの表示プログラムＢのフローチャート。
【図３】本発明の第１の実施形態に係るロッド製品設計支援システムの表示プログラムＢによって画面上に表示されるイメージの出力例。
【図１】
2004147509.tif 000003
【図２】
2004147509.tif 000004
【図３】
2004147509.tif 000005